(57)【要約】【課題】メンテナンス性が改良された空気調和機を実現する。【解決手段】空気調和機（１）は、細長の吹き出し口（Ｂ）内部の設置部（１０２）に着脱可能に設けられた風向調整ユニット（１２０）と、設置部から手前向きに傾斜して起立するガイドピラー（１０６）を有し、ガイドピラーの手前側の稜線（１０６ａ、１０６ｂ）の、設置部の主面に対する角度は、主面から遠い第１の位置において主面から近い第２の位置におけるよりも大きい。【選択図】図７
2020098052.tif 000002
【特許請求の範囲】
【請求項１】
気流を吹き出す細長の吹き出し口と、
前記吹き出し口内部の設置部に、着脱可能に設けられた風向調整ユニットと、
前記設置部から、前記設置部の主面に対して前記吹き出し口手前向きに傾斜して起立するガイドピラーと、を備え、
前記風向調整ユニットは、前記吹き出し口の長手方向の前記気流の向きを調整するための複数の風向板と、前記複数の風向板が設置される支持板と、を有し、
前記支持板には、前記吹き出し口奥側の辺に爪部が設けられ、
前記設置部は、前記爪部が前記吹き出し口奥向きに嵌め込まれる溝を有し、
前記ガイドピラーの前記吹き出し口手前側の稜線の前記設置部の主面に対する角度であって、
前記稜線の第１の位置における角度は、前記第１の位置より前記設置部に近い前記稜線の第２の位置における角度よりも大きいことを特徴とする、空気調和機。
【請求項２】
前記支持板には、前記吹き出し口奥側の辺に、前記ガイドピラーが嵌り込むガイド部が設けられることを特徴とする、請求項１に記載の空気調和機。
【請求項３】
前記ガイド部は、前記吹き出し口奥側の辺に設けられた凹部であることを特徴とする、請求項２に記載の空気調和機。
【請求項４】
前記ガイドピラーの前記吹き出し口手前側の稜線の前記設置部の主面に対する角度は、前記稜線の少なくとも一部に沿って連続的に変化していることを特徴とする、請求項１から３のいずれか１項に記載の空気調和機。
【請求項５】
前記風向調整ユニットを複数備える、請求項１から４のいずれか１項に記載の空気調和機。
【請求項６】
前記複数の風向調整ユニットは、互いに入れ替えて前記吹き出し口内部に装着可能であることを特徴とする、請求項５に記載の空気調和機。
【発明の詳細な説明】
【技術分野】
【０００１】
本発明は空気調和機に関する。
【背景技術】
【０００２】
室内機に気流を発生させる室内ファンを備え、細長い形状の吹き出し口から、気流を部屋内に向けて吹き出す空気調和機が知られている。吹き出し口には、吹き出し口長手方向についての気流の向きを調整する風向板（縦ルーバ）を複数備えた風向調整ユニット（縦ルーバユニット）が設けられる。また、吹き出し口には、気流の向きを吹き出し口長手方向と直交する方向に調整する気流パネルも設けられる。縦ルーバや気流パネルはそれぞれの駆動部により与えられた駆動力により所要の向きに回動でき、自動若しくは、ユーザの選択によって、気流の向きを適宜調整することができるように構成されている。風向調整ユニットを着脱可能とし、ユーザが取り外せて清掃を行えるようにした、空気調和機も提案されている。
【先行技術文献】
【特許文献】
【０００３】
【特許文献１】特開２０１８−４８７９１号公報
【発明の概要】
【発明が解決しようとする課題】
【０００４】
吹き出し口長手方向についての気流の向きを調整するため、縦ルーバは、吹出し口の長手方向に沿って多数配置される必要がある。またこれら複数の縦ルーバは、そろって同じ向きに回動する必要がある。風向調整ユニットを着脱可能としつつこのような構成を実現するため、風向調整ユニットは、板状の支持板の上に、支持板に対して起立するように複数の縦ルーバを並べた構成とすることが考えられる。
【０００５】
このような風向調整ユニットの空気調和機本体への取付けを、ユーザが確実に正しく行えるようにするため、構造上の工夫がなされることが望まれる。
【０００６】
本発明の一態様は、着脱可能な風向調整ユニットの空気調和機本体への正しい固定位置への装着を、ユーザがより確実に実施できるようになる、メンテナンス性が改良された空気調和機を実現することを目的とする。
【課題を解決するための手段】
【０００７】
上記の課題を解決するために、本発明の一態様に係る空気調和機は、気流を吹き出す細長の吹き出し口と、前記吹き出し口内部の設置部に、着脱可能に設けられた風向調整ユニットと、前記設置部から、前記設置部の主面に対して前記吹き出し口手前向きに傾斜して起立するガイドピラーと、を備え、前記風向調整ユニットは、前記吹き出し口の長手方向の前記気流の向きを調整するための複数の風向板と、前記複数の風向板が設置される支持板と、を有し、前記支持板には、前記吹き出し口奥側の辺に爪部が設けられ、前記設置部は、前記爪部が前記吹き出し口奥向きに嵌め込まれる溝を有し、前記ガイドピラーの前記吹き出し口手前側の稜線の前記設置部の主面に対する角度であって、前記稜線の第１の位置における角度は、前記第１の位置より前記設置部に近い前記稜線の第２の位置における角度よりも大きい構成を備えている。
【発明の効果】
【０００８】
本発明の一態様によれば、着脱可能な風向調整ユニットの空気調和機本体への正しい固定位置への装着を、ユーザがより確実に実施できるようになる、メンテナンス性が改良された空気調和機を実現できる。
【図面の簡単な説明】
【０００９】
【図１】本発明の実施形態１に係る空気調和機を示す斜視図であり、気流パネル及び風向調整ユニットを取り外した状態を示している。
【図２】本発明の実施形態１に係る空気調和機を示す斜視図であり、気流パネルを取り外した状態を示している。
【図３】本発明の実施形態１に係る空気調和機を示す斜視図であり、気流パネルが閉じた状態を示している。
【図４】本発明の実施形態１に係る空気調和機を示す斜視図であり、気流パネルが開いた状態を示している。
【図５】本発明の実施形態１に係る空気調和機の分解図である。
【図６】本発明の実施形態１に係る空気調和機の吹き出し口モジュールの分解図である。
【図７】本発明の実施形態１に係る空気調和機の吹き出し口モジュールを示す部分拡大図である。
【図８】本発明の実施形態１に係る空気調和機の風向調整ユニットを示す斜視図である。
【図９】本発明の実施形態１に係る空気調和機の風向調整ユニットを示す平面図であり、（ａ）は上面図、（ｂ）は下面図、（ｃ）は右側面図である。
【図１０】本発明の実施形態１に係る空気調和機の吹き出し口モジュールの断面図である。
【図１１】本発明の実施形態１に係る空気調和機本体に、風向調整ユニットを装着する状況を表した断面図である。
【図１２】本発明の実施形態２に係る空気調和機の風向調整ユニットの支持板を示す部品図である。
【図１３】比較例の空気調和機本体に、風向調整ユニットを装着する状況を表した断面図である。
【発明を実施するための形態】
【００１０】
〔実施形態１〕
以下、本発明の実施形態１が、図１〜図１１に基づいて詳細に説明される。本実施形態では、図３の外観図に示されるように、室内機と室外機とからなるセパレートタイプの壁掛け型空気調和装置の室内機である空気調和機１が例示として説明される。但し、本発明の一態様に係る空気調和機では、空調された気流の吹き出し口Ｂが、所定方向に延伸した細長の形状を有し、当該所定方向の正方向および負方向に風向きを調整する複数の風向板が、支持板上に当該所定方向に沿って配列された風向調整ユニットを備えていればよい。従って、空気調和機は、天井内据え付け型、床置き型でもよいし、室外機を有しない室内専用機型（窓取付型エアコン等）でもよい。
【００１１】
なお各図面には、空気調和機１の様々な部材が示されているが、実施形態とは関係しない部材については説明が省略される。これらの説明が省略される部材は、公知のものと同様であると理解されてよい。また、各図面は、各部材の形状、構造、および位置関係等を示す構成を概略的に説明することを目的としたものであり、本発明の一態様に係る空気調和機が、各図面に示された構成に限定されるものではない。これらの点は、他の実施形態についても同様である。
【００１２】
（空気調和機１の概要）
初めに、図１〜図５を参照して、本実施形態の空気調和機１の概略的な構成が説明される。
【００１３】
図３は、空気調和機１の外観を示す斜視図であり、気流の吹き出し口Ｂが閉じられている状態を示す。図４は、空気調和機１の外観を示す斜視図であり、空調運転を実施し、気流パネル１４０が開き、気流の吹き出し口Ｂが外部から視認できる状態を示す。空気調和機１は、前側キャビネット２０、リア側キャビネット３０、吹き出し口モジュール１０とを備え、これらにより空気調和機１の筐体が構成されている。図５は、空気調和機１を、前側キャビネット２０、リア側キャビネット３０、吹き出し口モジュール１０とに分解して示す分解図である。図５には、空気調和機１内部に取り付けられる貫流ファン４０も併せて示されている。
【００１４】
リア側キャビネット３０は、空調対象となる部屋の壁面に固定される。空気調和機１は全体として長方形の箱状であり、その長手方向に細長い吹き出し口Ｂが設けられている。各図に示されるように、吹き出し口の長手方向がＸ方向であり、ＸＺ平面が、リア側キャビネット３０が取り付けられる壁面に平行であるようにＹ方向、Ｚ方向が定義される。Ｙ軸の方向は、取り付け壁面から空気調和機１の正面に向かう方向である。空気調和機１が、鉛直面に平行な壁に、Ｘ軸が水平になるように取り付けられた時に、Ｚ軸方向は、鉛直方向上向きとなる。本願において、吹き出し口Ｂの長手方向（Ｘ軸に平行）が横方向若しくは左右方向と称され、Ｘ軸の向きが左、Ｘ軸の向きに逆の向きが右とされる。ユーザが吹き出し口Ｂ（空気調和機１の正面）に正対したときに、ユーザから見て、それぞれ左向き、右向きに相当するからである。また、Ｙ軸の向きが手前向き、Ｙ軸に逆の向きが奥向きとも称される。ユーザが吹き出し口Ｂ（空気調和機１の正面）に正対したときに、ユーザから見て、それぞれ手前側、奥側に相当するからである。よって、吹き出し口Ｂにおける気流の向きは、概略Ｙ軸の向き（手前向き）である。
【００１５】
更に本願においては、記述を分かりやすくするために、Ｚ軸に平行な方向が上下方向、Ｚ軸の向きが上、Ｚ軸の向きに逆の向きが下と称されることがある。これは、空気調和機１が、鉛直面に平行な壁に、Ｘ軸が水平になるように取り付けられたときに、理解がしやすいための記述方法であり、空気調和機１の取り付け方法が、この条件に制限されるものではない。
【００１６】
図３等に示されるように、前側キャビネット２０及びリア側キャビネット３０の上方（Ｚ軸正方向）には、多数の桟とその間の隙間からなる空気の取り入れ口Ｉが設けられている。図５に示されるように、貫流ファン４０は、横軸（回転軸がＸ軸に平行）円筒形状の、気流を発生させるファンであり、空気を吸入および送出するための複数のブレードを、周方向に備えている。図示されないが、貫流ファン４０の上側周囲を囲むように、熱交換器が設けられる。貫流ファン４０が回転することで、取り入れ口Ｉから空気調和機１内へ空気を吸い込み、吸い込んだ空気を熱交換器を通して吹き出し口Ｂから室内へ吹き出す気流が作り出される。
【００１７】
図５に示されるように、吹き出し口モジュール１０は、前側キャビネット２０の下側（Ｚ軸負方向）に設けられる。吹き出し口モジュール１０は、吹き出し口Ｂを構成する枠体１００に、縦ルーバ１２２（風向板）を複数備えた風向調整ユニット１２０、気流パネル１４０等が組み付けられて構成される。吹き出し口モジュール１０の構造の詳細については後述される。室内へ吹き出す気流は、気流パネル１４０及び風向調整ユニット１２０の縦ルーバ１２２によって方向付けられる。
【００１８】
気流パネル１４０は、空気調和機１の運転状態に応じて、空気調和機１内の制御装置（不図示）によって開閉が制御される。図３に示されるように、気流パネル１４０が閉じられた場合には、気流の吹き出し口Ｂは塞がれ、気流パネル１４０は、空気調和機１の外装パネルとしての役割を果たす。気流パネル１４０がＸ軸の周りの方向に回転し、開かれた場合には、図４に示されるように、気流の流路としての吹き出し口Ｂが露出する。また、気流パネル１４０はその回転角度により、吹き出し口Ｂから室内へ吹き出す気流の上下方向（Ｚ軸に平行）の向きを調整する。
【００１９】
図２は、空気調和機１の外観を示す斜視図であり、空気調和機１から気流パネル１４０が取り外された状態を示している。
【００２０】
気流パネル１４０は横長の略板状の部材であり、その一端に回転軸である短軸１４１を有し、他端に係合孔１４２を有する。短軸１４１は内側に向かって押し込み可能であり、吹き出し口モジュール１０の枠体１００に設けられた軸穴１０１から取り外すことで、ユーザは、気流パネル１４０を空気調和機１本体から取り外すことができる。係合孔１４２は、空気調和機１本体側（枠体１００側）に取り付けられる気流パネル回転ユニット１５０の係合軸１５１と係合する。
【００２１】
気流パネル１４０は、気流パネル回転ユニット１５０の係合軸１５１から回転方向の駆動力を得て、気流の上下方向（Ｚ軸に平行）の向きを調整するための回転角度の調整が行われる。気流パネル１４０は、略板形状の部材であり、内部に可動部分がほとんどない比較的単純な構造であるため、重量も軽く、ユーザは容易に着脱ができ清掃及び洗浄も容易である。
【００２２】
吹き出し口Ｂ内には、気流パネル１４０の奥に、左右方向の向きを変えることが可能な縦ルーバ１２２が複数設置されており、気流パネル１４０が取り外された状態では容易に外部から視認できる。また、吹き出し口Ｂ内には、中央部付近の上部に、イオン発生ユニット１１０が配置されている。
【００２３】
図１は、空気調和機１の外観を示す斜視図であり、図２の状態から、更に縦ルーバ１２２を複数備える風向調整ユニット１２０が取り外された状態を示している。図１及び図２から明らかになるように、空気調和機１は、風向調整ユニット１２０を吹き出し口Ｂ内の左右に並んで２つ備えている。風向調整ユニット１２０は、縦ルーバ１２２の向きにより、吹き出し口Ｂから室内へ吹き出す気流の左右方向の向きを調整する。吹き出し口Ｂの内部において、風向調整ユニット１２０が取り付けられる位置の奥側には、ガイドピラー１０６が縦向きに形成されている。
【００２４】
（風向調整ユニット１２０及び吹き出し口モジュール１０の概要）
次に、風向調整ユニット１２０の構成及び、風向調整ユニット１２０等を配置する枠体１００を有する吹き出し口モジュール１０の構成について、図６〜図９を参照しつつ説明される。
【００２５】
図６は、吹き出し口モジュール１０を示す斜視図であり、吹き出し口モジュール１０を分解して示す。吹き出し口モジュール１０は概略、枠体１００、イオン発生ユニット１１０、２つの風向調整ユニット１２０、駆動ユニット１３０、気流パネル１４０、気流パネル回転ユニット１５０とから構成されている。図７は、枠体１００に、イオン発生ユニット１１０、駆動ユニット１３０、左側の風向調整ユニット１２０が取り付けられた状態を拡大して示す斜視図である。イオン発生ユニット１１０は、左右それぞれにイオン吹き出しのための開口部を備えた一体のユニットである。それぞれの風向調整ユニット１２０は、枠体１００内の吹き出し口Ｂの底部（Ｚ軸負方向側の面）の設置部１０２に対して着脱可能に嵌め込まれる。図８は、風向調整ユニット１２０を拡大して示す斜視図であり、図９はその平面図である。図９において（ａ）は、風向調整ユニット１２０の上面図、（ｂ）は下面図、（ｃ）は右側面図である。
【００２６】
風向調整ユニット１２０は、支持板１２１の上に、複数の縦ルーバ１２２が吹き出し口Ｂ長手方向に沿って配列されて構成されている。複数の縦ルーバ１２２は、支持板１２１に対して起立し、支持板１２１に垂直な軸周りに、一定の角度の範囲内で揺動し得る。それぞれの軸にあたる部分は、風向調整ユニット１２０における最も奥寄り（Ｙ軸方向と逆方向）に位置しており、羽の先端にあたる部分は、手前側（Ｙ軸方向）に位置する。複数の縦ルーバ１２２は、各々羽の先端部分が連結バー１２３で繋がれており、これにより風向調整ユニット１２０において複数の縦ルーバ１２２の左右の向きが同じになるように揺動させられる。風向調整ユニット１２０の全体は、ほぼ左右対称に形成されている。
【００２７】
複数の縦ルーバ１２２のうち、風向調整ユニット１２０の両端に位置する２つの縦ルーバ１２２ａは、回動軸１２４を有し、縦ルーバ１２２ａ全体が回転運動する。一方、両端以外の縦ルーバ１２２ｂ（両端に位置する縦ルーバ１２２ａで挟まれた縦ルーバ１２２ｂ）は、支持板１２１から略垂直に起立する軸部１２２１と、縦ルーバ１２２ｂの主要部分である羽根部１２２３と、軸部１２２１と羽根部１２２３との間の軟部１２２２とから構成されている。軸部１２２１の基部（根元部分）は、支持板１２１に固定されている。縦ルーバ１２２ｂが左右に振れていないときに、軟部１２２２及び羽根部１２２３は、軸部１２２１に略平行な板状の形状である。軸部１２２１と羽根部１２２３とは、軟部１２２２と同素材で構成された、軟部１２２２に対して相対的に肉厚の厚い柔軟性の乏しい部分からなる。あるいは、軸部１２２１と羽根部１２２３とは、軟部１２２２に対して相対的に硬質の素材で構成された柔軟性の乏しい部分であってもよい。
【００２８】
縦ルーバ１２２ｂの軸に相当する軸部１２２１は、支持板１２１に対して固定されているが、軟部１２２２で縦ルーバ１２２ｂは左右に湾曲することができ、羽根部１２２３の左右の向きを変えることができる。このように、縦ルーバ１２２ｂは、簡易な構造で上記揺動運動（回転運動）をすることが可能なように構成されている。よって、風向調整ユニット１２０全体がコンパクトで軽量に構成され得る。
【００２９】
図９（ｂ）に示されるように、両端の縦ルーバ１２２ａの回動軸１２４は、支持板１２１の下側に突き抜けている。風向調整ユニット１２０が、枠体１００の設置部１０２に取り付けられた際に、いずれか一方の回動軸１２４の下端部が、駆動ユニット１３０の伝達軸１３１と係合するように構成されている。
【００３０】
駆動ユニット１３０は、枠体１００に組み立てられた際に、２つの伝達軸１３１が、それぞれの設置部１０２に設けられた貫通穴１０３から突き出るように（図７参照）構成される。図６に示されるように、伝達軸１３１が配置される貫通穴１０３の位置は、右側の設置部１０２においては左端、左側の設置部１０２においては右端となる。つまり、吹き出し口モジュール１０において、吹き出し口Ｂの中央部付近に２つの伝達軸１３１が設けられている。
【００３１】
右側の設置部１０２に設置された風向調整ユニット１２０では、左端の回動軸１２４が、伝達軸１３１に係合し、右端の回動軸１２４には、なにも係合しない。左側の設置部１０２に設置された風向調整ユニット１２０では、右端の回動軸１２４が、伝達軸１３１に係合し、左端の回動軸１２４には、なにも係合しない。
【００３２】
以上のような構成により、２つの風向調整ユニット１２０の間に設けられた一つのモータを備える駆動ユニット１３０によって、左右双方の風向調整ユニット１２０の縦ルーバ１２２の揺動運動を行わせることが可能となっている。従って、２つの風向調整ユニット１２０に対して、それぞれに駆動源を設ける必要がなく、低コストで左右方向の気流の制御を行うことが可能となる。
【００３３】
このように、吹き出し口Ｂ内に設けられた縦ルーバ１２２は、上述の構成により、一つのモータ（駆動ユニット１３０）による揺動運動を可能としながら、２つの風向調整ユニット１２０に分かれて構成されており、それぞれが別途にまとまって着脱可能である。しかも、駆動力源や、左右双方の風向調整ユニット間の駆動力のリンク機構は、空気調和機１本体側の駆動ユニット１３０内に形成されているから、個々の風向調整ユニット１２０は軽量である。よって、ユーザは縦ルーバ１２２の取り外しを容易に行うことができ、また２つのユニットに分かれているために、吹き出し口Ｂ全体にわたる１つのユニットで構成する場合に比して小型、軽量であり、清掃若しくは洗浄作業もより容易である。
【００３４】
しかも、それぞれの風向調整ユニット１２０では、回動軸１２４が左右両側に形成されているため、互いに入れ替えても、枠体１００に装着が可能であって、そのようにしても縦ルーバ１２２の揺動運動のための駆動力を駆動ユニット１３０から伝達することができる。そのため、左右で形状の異なる風向調整ユニットを分割して設置する場合と比較して、部品の共通化がされるため、より低コストの空気調和機が実現できる。また、装着作業についてのユーザの利便性も高まる。
【００３５】
また、中央の駆動ユニット１３０から、左右に分けて駆動力を伝達するため、吹き出し口Ｂの一方の端部から駆動力を与える場合と比較して、全ての縦ルーバへより確実に駆動力を伝達できる。
【００３６】
（風向調整ユニット１２０の装着方法）
風向調整ユニット１２０の空気調和機１本体への装着方法が、図７〜図１１を参照しつつ詳細に説明される。
【００３７】
空気調和機１は、風向調整ユニット１２０の着脱を可能とするロック機構を備えている。図８及び図９に示されるように、ロック機構として、風向調整ユニット１２０の両端には、つまみ１２５と共に左右（Ｘ軸方向）にスライド可能なかんぬき１２６が設けられている。かんぬき１２６は、つまみ１２５のスライドにより風向調整ユニット１２０の内側に向けて押し込まれると、ばねにより外側に向けて付勢される。風向調整ユニット１２０が空気調和機１本体（枠体１００）に装着されている状態で、ユーザが付勢力に逆らって両端のつまみ１２５を風向調整ユニット１２０の内側に移動させると、吹き出し口モジュール１０の枠体１００に設けられたかんぬき穴１０４と、かんぬき１２６との係合が外れる。そうして、ユーザは風向調整ユニット１２０を空気調和機１本体（枠体１００）から取り外すことができる。
【００３８】
なお、風向調整ユニット１２０の支持板１２１の下面には、図９（ｃ）等に示される突起部１２７が設けられており、風向調整ユニット１２０が空気調和機１本体（枠体１００）に装着されている際には、枠体１００の設置部１０２の中央付近に設けられた緩嵌穴１０５（図７参照）に、緩く嵌り込んでいる。そうしてユーザが、風向調整ユニット１２０の取り外しを行う際に、風向調整ユニット１２０が枠体１００の設置部１０２から少し浮いた状態となったとしても、突起部１２７は緩嵌穴１０５に嵌り込み続ける。従って、取り外しのときに、ユーザが風向調整ユニット１２０のロック機構を解除した際に、風向調整ユニット１２０が空気調和機１本体から落下してしまうことが防止される。
【００３９】
また、風向調整ユニット１２０の空気調和機１本体（枠体１００）への取付けは、風向調整ユニット１２０を枠体１００の設置部１０２の奥側の部分で噛み合わせ、ロック機構について取り外しと逆の操作を行うことにより行うことができる。こうして、空気調和機１では、風向調整ユニット１２０が、装着された状態では外れることはないが、ユーザのロック解除操作により比較的簡単に取り外しを行えるように構成されている。
【００４０】
なお、ロック機構は上記のものに限らず、かんぬきのスライド方向への付勢力は与えられず、単にかんぬきの位置により風向調整ユニット１２０の固定を行うようなものであってもよい。その場合も風向調整ユニット１２０の装着状態では、つまみ（かんぬき）にやや力を加えないとスライドしないようにロックされるようになっていることが望ましい。また、ロック機構が、風向調整ユニット１２０の側に設けられているものに限らず、空気調和機１本体側（枠体１００側）に設けられていてもよい。その場合、例えば、風向調整ユニット１２０の中央部で、支持板１２１を挟み込み固定する機構とすることができる。
【００４１】
次に、風向調整ユニット１２０の枠体１００への設置状態が詳細に説明される。図９（ａ）〜（ｃ）に示されるように、風向調整ユニット１２０の支持板１２１は、奥側の辺に、奥向きに突出した爪部１２１ａを備える。風向調整ユニット１２０が枠体１００の設置部１０２に装着された際には、設置部１０２の奥側に設けられた嵌入溝１０２ａ（溝）に爪部１２１ａが嵌り込むようにして風向調整ユニット１２０が固定される。嵌入溝１０２ａは、爪部１２１ａが奥側に向けて嵌り込む溝である。つまり、溝の奥行き方向は、設置部１０２に対して平行である。
【００４２】
また、風向調整ユニット１２０の支持板１２１は、奥側の辺の一部が凹んだ凹部１２１ｂ（ガイド部）を２か所左右対称の位置に有している。風向調整ユニット１２０が枠体１００の設置部１０２に装着された際には、設置部１０２の奥側に設けられた２か所の位置決め突起１０２ｃにそれぞれの凹部１２１ｂが合うようにして風向調整ユニット１２０が固定される。位置決め突起１０２ｃの一方は、ガイドピラー１０６の基部をなしている。
【００４３】
以上のようにして、風向調整ユニット１２０は、装着されると、枠体１００に左右方向、縦方向ともに動かないように固定される。
【００４４】
続いて、ユーザが、風向調整ユニット１２０を空気調和機１本体（枠体１００）に取り付ける際の装着方法が説明される。
【００４５】
図１０は、吹き出し口Ｂ長手方向（Ｘ方向）から観察した、枠体１００の断面図である。吹き出し口Ｂ内部の、気流の通路の底面（Ｚ軸負方向側の面）に設けられた設置部１０２からガイドピラー１０６が、起立している。ガイドピラー１０６は、設置部１０２の主面に対して垂直ではなく、手前向き（Ｙ軸方向）に傾斜するように起立している。ガイドピラー１０６の手前側（Ｙ軸方向）の稜線は、次のように構成されている。設置部１０２の主面から離れた位置（第１の位置）の稜線１０６ａは、設置部１０２の主面に対して相対的に大きい（深い）角度を有し、設置部１０２の主面に近い位置（第２の位置）の稜線１０６ｂは、設置部１０２の主面に対して相対的に小さい（浅い）角度を有する。ここで、設置部１０２の主面に対する稜線の方向の関係が垂直に近い方向をより深い角度、と称している。設置部１０２の主面に垂直である位置からの傾斜で表現すると、より浅い角度とは、傾斜が大きくなる状態である。また、ここでガイドピラー１０６の手前側の稜線とは、吹き出し口Ｂ長手方向（Ｘ方向）から観察したときに、ガイドピラー１０６の最も手前側（Ｙ軸方向）の部分を構成する線を称している。ガイドピラー１０６の最も手前側がＸ軸に平行な小面で構成されているときには、ガイドピラー１０６の手前側の稜線は、その小面のＸＺ断面の手前側（Ｙ軸方向）の縁と等しい。しかし、ガイドピラー１０６の手前側の形状は、必ずしもこのような小面で構成されることに限定されない。
【００４６】
空気調和機１本体（枠体１００）に取り付けるために、ユーザが、風向調整ユニット１２０を吹き出し口Ｂから差し入れて装着位置に移動させる状況を、図１１に模式的に示す。図において、風向調整ユニット１２０の爪部１２１ａが枠体１００の嵌入溝１０２ａに嵌り込む直前の位置での支持板１２１の断面が示されており、また、支持板１２１の移動の軌跡が模式的に矢印Ａと矢印Ｂとで表されている。
【００４７】
ユーザが、左右の位置がおよそ正しい状態で、風向調整ユニット１２０を吹き出し口Ｂの奥へと差し入れると、ガイドピラー１０６が支持板１２１の凹部１２１ｂに緩く嵌り込んで、支持板１２１がガイドピラー１０６の手前側の面に接触する。接触状態を保ったまま、ユーザが支持板１２１を設置部１０２の方へ移動させると、ガイドピラー１０６が設置部１０２の主面に対して垂直ではなく、手前向き（Ｙ軸方向）に傾斜するように起立しているため、支持板１２１が徐々に吹き出し口の手前側から設置部１０２に向けて自然にガイドされる。
【００４８】
支持板１２１がガイドピラー１０６の上部の第１の位置で当たっている際には、稜線１０６ａの角度に従って、支持板１２１が設置部１０２の主面に対して深い角度（矢印Ａ）で設置部１０２に近づく。この際の支持板１２１の爪部１２１ａの先端の軌跡を延長すると、嵌入溝１０２ａよりも手前になる。
【００４９】
更にユーザが支持板１２１を設置部１０２の方へ移動させると、支持板１２１がガイドピラー１０６の下部の第２の位置で当たるようになる。すると、稜線１０６ｂの角度に従って、支持板１２１が設置部１０２の主面に対して浅い角度（矢印Ｂ）で設置部１０２に近づくようになる。そうして最終的に風向調整ユニット１２０の爪部１２１ａが枠体１００の嵌入溝１０２ａに嵌り込む。このように、ガイドピラー１０６によって、風向調整ユニット１２０（支持板１２１）の動きが、ガイドされて、風向調整ユニット１２０が正しい位置で、空気調和機１本体（枠体１００）に取り付けられる。
【００５０】
比較のため、図１３に、ガイドピラー９０６の手前側の稜線の、設置部９０２の主面に対する角度が一定であるとした比較例の空気調和機の枠体９００について説明する。このとき、ガイドピラー９０６の主要部分の形状は、単純に一定の太さの柱状である。この場合、ガイドピラー９０６によってガイドされる風向調整ユニット１２０の移動の軌跡（矢印Ｃ）は直線的であり、設置部９０２の主面に対する角度は一定である。すると、風向調整ユニット１２０の爪部１２１ａが、設置部９０２の嵌入溝９０２ａに嵌り込まずに、嵌入溝９０２ａを構成する溝壁部９０２ｂに乗り上げてしまうことが生じやすくなる。爪部１２１ａの先端の移動の軌跡も、ほぼ嵌入溝１０２ａの奥に向けて一定であるためである。このように爪部１２１ａが溝壁部９０２ｂに乗り上げてしまった場合でも、ユーザが無理に上記ロック機構を用いて風向調整ユニット１２０を固定してしまうことがある。このような誤った装着がなされると、風向調整ユニット１２０が空気調和機の運転中に正しく動作しないだけでなく、風向調整ユニット１２０等の破損の原因ともなりかねない。
【００５１】
一方、実施形態１の空気調和機１では、風向調整ユニット１２０の取付けが正しくなされず、間違った方法で取り付けられて空気調和機１の本来の機能が発揮されない、あるいは風向調整ユニットが正しく嵌っていないのにユーザが無理に風向調整ユニットを固定しようとして破損するなどのトラブルの発生が抑制される。図１１に示されたように、ユーザが風向調整ユニット１２０を設置部１０２に近づけていく際の、爪部１２１ａの軌跡が、角度を変えつつ嵌入溝９０２ａに近づいていくため、爪部１２１ａが、嵌入溝１０２ａを構成する溝壁部１０２ｂに乗り上げてしまう現象の発生が抑制されるからである。従って実施形態１の空気調和機１によれば、爪部１２１ａが嵌入溝９０２ａに嵌り込む状態で風向調整ユニット１２０をより確実に正しく装着でき、このようなトラブルの発生が抑制される。
【００５２】
上記の説明では、ガイドピラー１０６の手前側の稜線の、設置部１０２の主面に対する角度について、ガイドピラー上部（第１の位置）とガイドピラー下部（第２の位置）の２か所について言及がされた。しかしながら、ガイドピラー１０６の手前側の稜線の角度に関しては、２段階で移り変わるものに限定する趣旨ではなく、多段階、更には連続的に角度が移行するようなものであってもよい。図１０に示されるように、連続的に角度が移行するものであった方が、ユーザがよりスムーズに、ガイドピラーにガイドさせての風向調整ユニット１２０の移動を行うことができ好ましい。ガイドピラー１０６の手前側の稜線が部分的に直線で、部分的に曲線であるようなものであってもよい。ガイドピラー１０６の手前側の稜線の設置部１０２の主面に対する角度は、稜線の少なくとも一部に沿って連続的に変化しているものであってもよい。
【００５３】
実施形態１において、各部材を備えた吹き出し口モジュール１０により一体化されて吹き出し口Ｂが構成される例が示された。しかしながら、例えば、吹き出し口Ｂの上側（Ｚ軸正方向）と下側（Ｚ軸負方向）とで別々の部材を組み立てて吹き出し口Ｂを構成するものであってもよく、このような変更は設計事項として、当業者が適宜に採用し得るものである。
【００５４】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５５】
実施形態２に係る空気調和機は、図１〜１１に示された空気調和機１と同様の構造を有する。ただし、風向調整ユニットの支持板２２１の形状が、空気調和機１とは異なる。
【００５６】
図１２は、実施形態２に係る空気調和機の風向調整ユニットの支持板２２１の部品図である。実施形態１の支持板１２１とは異なり、風向調整ユニット１２０の装着の操作のときにガイドピラーが緩く嵌り込むガイド部２２１ｂは、支持板２２１の辺の２つの突起により構成されている。この場合、支持板２２１がガイドピラーに当たる位置が、実施形態１の支持板１２１と比較すると、支持板２２１の奥側になるため、その分、枠体におけるガイドピラーの取付け位置も移動する必要があるものの、他は実施形態１に係る空気調和機１と同様に構成できる。
【００５７】
実施形態２に係る空気調和機によっても、実施形態１に記載の効果と同様の効果が得られる。
【００５８】
〔まとめ〕
本発明の態様１に係る空気調和機は、気流を吹き出す細長の吹き出し口と、前記吹き出し口内部の設置部に、着脱可能に設けられた風向調整ユニットと、前記設置部から、前記設置部の主面に対して前記吹き出し口手前向きに傾斜して起立するガイドピラーと、を備え、前記風向調整ユニットは、前記吹き出し口の長手方向の前記気流の向きを調整するための複数の風向板と、前記複数の風向板が設置される支持板と、を有し、前記支持板には、前記吹き出し口奥側の辺に爪部が設けられ、前記設置部は、前記爪部が前記吹き出し口奥向きに嵌め込まれる溝を有し、前記ガイドピラーの前記吹き出し口手前側の稜線の前記設置部の主面に対する角度であって、前記稜線の第１の位置における角度は、前記第１の位置より前記設置部に近い前記稜線の第２の位置における角度よりも大きい構成を備えている。
【００５９】
上記の構成によれば、着脱可能な風向調整ユニットの空気調和機本体への正しい固定位置への装着を、ユーザがより確実に実施できるようになる、メンテナンス性が改良された空気調和機を実現できる。
【００６０】
本発明の態様２に係る空気調和機は、上記態様１において、前記支持板には、前記吹き出し口奥側の辺に、前記ガイドピラーが嵌り込むガイド部が設けられていてもよい。
【００６１】
上記の構成によれば、ユーザが風向調整ユニットを空気調和機本体へ装着させる際に、吹き出し口長手方向における正しい位置に、風向調整ユニットをガイドさせることができる。
【００６２】
本発明の態様３に係る空気調和機は、上記態様２において、前記ガイド部が、前記吹き出し口奥側の辺に設けられた凹部で構成されていてもよい。
【００６３】
上記の構成によれば、吹き出し口長手方向への位置決めのためのガイド部を具体的に構成できる。
【００６４】
本発明の態様４に係る空気調和機は、上記態様１から３のいずれかにおいて、前記ガイドピラーの前記吹き出し口手前側の稜線の前記設置部の主面に対する角度は、前記稜線の少なくとも一部に沿って連続的に変化していてもよい。
【００６５】
上記の構成によれば、ユーザが風向調整ユニットを空気調和機本体へ装着させる際に、スムーズに風向調整ユニットを設置部に向けて移動させることができる、
本発明の態様５に係る空気調和機は、上記態様１から４のいずれかにおいて、前記風向調整ユニットを複数備えていてもよい。
【００６６】
上記の構成によれば、ユーザによる風向調整ユニットの着脱及び、その清掃、洗浄が容易な空気調和機が実現できる。
【００６７】
本発明の態様６に係る空気調和機は、上記態様５において、前記複数の風向調整ユニットが、互いに入れ替えて前記吹き出し口内部に装着可能である構成を備えていてもよい。
【００６８】
上記の構成によれば、複数の風向調整ユニットを空気調和機本体に装着する際のユーザの利便性が向上し、また空気調和機本体から風向調整ユニットを着脱可能にする空気調和機を低コストで実現できる。
【００６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。更に、各実施形態にそれぞれ開示された技術的手段を組み合わせることにより、新しい技術的特徴を形成することができる。
【符号の説明】
【００７０】
１、２  空気調和機
１０  吹き出し口モジュール
１００  枠体
１０１  軸穴
１０２  設置部
１０２ａ、９０２ａ  嵌入溝（溝）
１０２ｂ、９０２ｂ  溝壁部
１０２ｃ  位置決め突起
１０３  貫通穴
１０４  かんぬき穴
１０５  緩嵌穴
１０６  ガイドピラー
１０６ａ  第１の位置の稜線
１０６ｂ  第２の位置の稜線
１１０  イオン発生ユニット
１２０  風向調整ユニット
１２１、２２１  支持板
１２１ａ  爪部
１２１ｂ  凹部（ガイド部）
２２１ｂ  ガイド部
１２２、１２２ａ、１２２ｂ  縦ルーバ
１２２１  軸部
１２２２  軟部
１２２３  羽根部
１２３  連結バー
１２４  回動軸
１２７  突起部
１３０  駆動ユニット
１３１  伝達軸
１４０  気流パネル
１４１  短軸
１４２  係合孔
１５０  気流パネル回転ユニット
１５１  係合軸
２０  前側キャビネット
３０  リア側キャビネット
４０  貫流ファン
【図１】
2020098052.tif 000003
【図２】
2020098052.tif 000004
【図３】
2020098052.tif 000005
【図４】
2020098052.tif 000006
【図５】
2020098052.tif 000007
【図６】
2020098052.tif 000008
【図７】
2020098052.tif 000009
【図８】
2020098052.tif 000010
【図９】
2020098052.tif 000011
【図１０】
2020098052.tif 000012
【図１１】
2020098052.tif 000013
【図１２】
2020098052.tif 000014
【図１３】
2020098052.tif 000015